(57)【要約】【課題】起動してから定常熱出力に至るまで徐々に熱出力を上昇させる電気ヒータが、回生制動時の余剰電力を確実に消費することが可能な車両用回生制動装置を提供すること。【解決手段】空調用ＥＣＵは、ナビゲーション装置からの情報により、車両が制動を要する降坂路を通過すると判断した場合には、制動が実施される前に回生電力以外の電力によりヒータを起動してヒータのプレ熱出力を行なうプレ運転部を有する。プレ運転部は、ステップ群Ｓ９０及びそれに続くステップＳ４５の機能により提供される。また、空調用ＥＣＵは、制動が実施された際に、回生余剰電力によりヒータの熱出力を行なう回生運転部を有する。回生運転部は、ステップＳ４７の機能により提供される。【選択図】図４
2017093154.tif 000002
【特許請求の範囲】
【請求項１】
車両の制動時に運動エネルギを電気エネルギに変換して回生電力を発生させる回生装置（１４）と、
前記回生電力を蓄電可能な蓄電装置（１３）と、
前記回生電力のうち前記蓄電装置の蓄電分を超える分を余剰電力と呼ぶときに、前記余剰電力を消費して熱出力することが可能な電気ヒータ（１７）と、
前記車両の現在位置及び進行方向を検出するとともに、予め記憶した坂路情報を含む道路情報を用いて前記車両の走行案内を行なうことが可能なナビゲーション装置（３０）と、
前記ナビゲーション装置から入力される前記現在位置、前記進行方向及び前記道路情報に基づいて前記電気ヒータを駆動制御する制御装置（１６）と、を備え、
前記電気ヒータは、起動してから定常熱出力に至るまで漸次熱出力を増加させるヒータであり、
前記制御装置は、
前記現在位置、前記進行方向及び前記道路情報から、前記車両が制動を要する降坂路を通過すると判断した場合には、前記制動が実施される前に前記回生電力以外の電力により前記電気ヒータを起動して前記電気ヒータのプレ熱出力を行なうプレ運転部（Ｓ９０、Ｓ４５）と、
前記制動が実施された際に、前記余剰電力により前記電気ヒータの熱出力を行なう回生運転部（Ｓ４７）と、を有する車両用回生制動装置。
【請求項２】
熱媒体を循環させる熱媒体循環路（１８）と、
前記熱媒体循環路に設けられ、前記熱媒体の熱を空気に放出する放熱器（１９）と、を更に備え、
前記電気ヒータは、前記熱媒体循環路を循環する前記熱媒体を加熱する構成である請求項１に記載の車両用回生制動装置。
【請求項３】
前記プレ運転部は、
前記ナビゲーション装置に前記車両の走行ルートが設定されたルート設定状態であるときには、
前記走行ルートの前記坂路情報を用いて、前記車両が前記降坂路を通過するか否かを判断する構成である請求項１又は請求項２に記載の車両用回生制動装置。
【請求項４】
前記プレ運転部は、
前記ナビゲーション装置に前記走行ルートが設定されていないルート非設定状態であるときには、
前記現在位置、前記進行方向及び前記道路情報から、前記車両が前記現在位置から分岐点のない道路を所定距離走行すると判断した場合には、前記所定距離の前記分岐点のない道路の前記坂路情報を用いて、前記車両が前記降坂路を通過するか否かを判断する構成である請求項３に記載の車両用回生制動装置。
【発明の詳細な説明】
【技術分野】
【０００１】
ここに開示される技術は、回生制動により回収したエネルギを消費可能な電気ヒータを備える車両用回生制動装置に関する。
【背景技術】
【０００２】
従来技術として、例えば下記特許文献１に開示された装置がある。この装置では、回生制動により得られる回生電力のうち蓄電等に用いられない余剰電力を、電気ヒータで消費するようになっている。
【先行技術文献】
【特許文献】
【０００３】
【特許文献１】特開２００５−１００７５２号公報
【発明の概要】
【発明が解決しようとする課題】
【０００４】
しかしながら、上記従来技術の装置では、回生制動時に余剰電力があっても電気ヒータで充分に消費できない場合があるという問題がある。電気ヒータには、起動してから定常熱出力に至るまで徐々に熱出力を上昇させるものがある。この電気ヒータは、電力投入直後に一時的に流れる大電流である突入電流を抑制することが可能なヒータである。このような電気ヒータを用いる場合に、回生制動時に余剰電力があっても電気ヒータで充分に消費できない場合があるという問題が発生する。
【０００５】
ここに開示される技術は、上記点に鑑みてなされたものであり、起動してから定常熱出力に至るまで徐々に熱出力を上昇させる電気ヒータが、回生制動時の余剰電力を確実に消費することが可能な車両用回生制動装置を提供することを目的とする。
【課題を解決するための手段】
【０００６】
上記目的を達成するため、開示される車両用回生制動装置では、
車両の制動時に運動エネルギを電気エネルギに変換して回生電力を発生させる回生装置（１４）と、
回生電力を蓄電可能な蓄電装置（１３）と、
回生電力のうち蓄電装置の蓄電分を超える分を余剰電力と呼ぶときに、余剰電力を消費して熱出力することが可能な電気ヒータ（１７）と、
車両の現在位置及び進行方向を検出するとともに、予め記憶した坂路情報を含む道路情報を用いて車両の走行案内を行なうことが可能なナビゲーション装置（３０）と、
ナビゲーション装置から入力される現在位置、進行方向及び道路情報に基づいて電気ヒータを駆動制御する制御装置（１６）と、を備え、
電気ヒータは、起動してから定常熱出力に至るまで漸次熱出力を増加させるヒータであり、
制御装置は、
車両の現在位置、進行方向及び道路情報から、車両が制動を要する降坂路を通過すると判断した場合には、制動が実施される前に回生電力以外の電力により電気ヒータを起動して電気ヒータのプレ熱出力を行なうプレ運転部（Ｓ９０、Ｓ４５）と、
制動が実施された際に、回生電力の余剰電力により電気ヒータの熱出力を行なう回生運転部（Ｓ４７）と、を有する。
【０００７】
これによると、車両が制動を要する降坂路を通過すると制御装置が判断した場合には、車両の制動が実施される前に、制御装置のプレ運転部が回生電力以外の電力により電気ヒータを起動して電気ヒータをプレ熱出力させる。そして、車両の制動が実施された際には、制御装置の回生運転部が回生電力の余剰電力により電気ヒータの熱出力を行なう。したがって、起動してから定常熱出力に至るまで徐々に熱出力を上昇させる電気ヒータは、回生運転部が余剰電力により電気ヒータの熱出力を行なう際には、回生電力以外の電力により既に熱出力を上昇した状態となっている。これにより、起動してから定常熱出力に至るまで徐々に熱出力を上昇させる電気ヒータが、回生制動時の余剰電力を確実に消費することが可能となる。
【０００８】
なお、特許請求の範囲およびこの項に記載した括弧内の符号は、ひとつの態様として後述する実施形態に記載の具体的手段との対応関係を示すものであって、開示技術の範囲を限定するものではない。
【図面の簡単な説明】
【０００９】
【図１】第１実施形態に係る車両用回生制動装置の概略構成を示すブロック図である。
【図２】車両用空調装置の暖房システムを示す図であり、空調用温水回路と冷却回路とが互いに独立した状態である単独状態を示している。
【図３】車両用空調装置の暖房システムを示す図であり、空調用温水回路と冷却回路とが接続した状態である連携状態を示している。
【図４】空調用ＥＣＵがパワーマネジメントＥＣＵを介して行なうヒータ制御動作を示すフローチャートである。
【図５】空調用ＥＣＵが行なう三方弁制御動作を示すフローチャートである。
【図６】降坂路における回生制動とヒータプレ運転との関係を説明するための図である。
【図７】ヒータ熱出力と回生余剰電力との関係の一例を示すタイムチャートである。
【図８】ヒータ熱出力と回生余剰電力との関係の他の一例を示すタイムチャートである。
【発明を実施するための形態】
【００１０】
以下に、図面を参照しながら開示技術を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１１】
（第１実施形態）
開示技術を適用した第１実施形態について、図１〜図８を参照して説明する。
【００１２】
本実施形態の車両用回生制動装置は、回生装置に相当する回生ブレーキ１４、蓄電装置に相当するバッテリ１３、電気ヒータに相当する水加熱ヒータ１７、ナビゲーション装置３０、制御装置に相当する空調用ＥＣＵ１６を備えている。水加熱ヒータ１７は、車両用空調装置１０の暖房システムの一部をなすものである。以下、水加熱ヒータを単にヒータと呼ぶ場合がある。空調用ＥＣＵ１６は、車両用空調装置１０の制御装置である。以下、空調用ＥＣＵをＡ／ＣＥＣＵと呼ぶ場合がある。
【００１３】
車両用空調装置１０は、車室内を空調するための空調用空気を車室内に送風する。図１に示すように、車両用空調装置１０は、例えば、走行用モータ１１を走行用駆動源とし、走行用モータ１１に対する電力供給手段として燃料電池１２を備える燃料電池車に搭載される。以下、燃料電池をＦＣスタックと呼ぶ場合がある。燃料電池車において、走行用モータ１１は、ＦＣスタック１２及び車載のバッテリ１３の少なくともいずれかから電力が供給されて駆動する。
【００１４】
バッテリ１３には、回生装置として回生ブレーキ１４が電気的に接続される。回生ブレーキ１４は、車両の減速時に運動エネルギを電気エネルギに変換して回収する。そして回生ブレーキ１４は、回収した電気エネルギを蓄電装置であるバッテリ１３に充電する。
【００１５】
ＦＣスタック１２は、水素と酸素との電気化学反応を利用して電力を発生する燃料電池のセルを複数有している。ＦＣスタック１２としては、固体高分子形燃料電池を用いることができる。ＦＣスタック１２の種類はこれに限定されるものではなく、リン酸形燃料電池、溶融炭酸塩形燃料電池等であってもかまわない。
【００１６】
パワーマネジメントＥＣＵ１５は、図１に示すように、走行用モータ１１の挙動を制御する。以下、パワーマネジメントＥＣＵをパワマネＥＣＵと呼ぶ場合がある。パワマネＥＣＵ１５、空調用ＥＣＵ１６、ＦＣスタック１２及びナビゲーション装置３０は、ＣＡＮ（Controller Area Network：登録商標）通信を使い相互に通信可能となっている。パワマネＥＣＵ１５は、ＣＡＮ通信を使いＦＣスタック１２及び車両用空調装置１０の空調用ＥＣＵ１６と必要な情報交換をする。パワマネＥＣＵ１５は、ＦＣスタック１２の発電量、バッテリ１３の残量及び車両の走行状態などから、走行用モータ１１に供給する電力量を決定する。そしてパワマネＥＣＵ１５は、決定した電力量で走行用モータ１１を駆動するように制御する。
【００１７】
ナビゲーション装置３０は、車両の現在位置及び進行方向を検出可能である。本実施形態のナビゲーション装置３０は、坂路情報を含む道路情報を予め記憶している。坂路情報とは、例えば道路の高低差情報である。ナビゲーション装置３０は、記憶している道路情報と、検出する車両の現在位置及び進行方向とに基づいて、車両の走行案内を行なうことができる。また、ナビゲーション装置３０は、車両の現在位置及び進行方向、坂路情報を含む道路情報、走行ルートの設定情報等を、ＣＡＮ通信を用いて出力することができる。
【００１８】
車両用空調装置１０は、図２に示すように、高電圧用のヒータ１７を搭載し、空調用温水回路１８の水を加熱してヒータコア１９で放熱するシステムを有する。本実施形態の車両は、例えば２８８Ｖまたは２８８Ｖを超える電圧の高電圧給電系統と、例えば１２Ｖまたは２４Ｖの低電圧給電系統とを有している。ヒータ１７は、高電圧系統から給電されて発熱する高電圧用ヒータである。
【００１９】
空調用温水回路１８は、本実施形態における熱媒体循環路に相当し、ヒータコア１９は、本実施形態における放熱器に相当する。空調用温水回路１８は、第１回路ということができる。空調用温水回路１８は、車両の駆動源である走行用モータ１１やＦＣスタック１２を冷却する水が循環可能となっている。空調用温水回路１８を流れる水は、本実施形態における熱媒体に相当する。熱媒体である水は、エチレングリコール等の凝固点降下成分を含むことができる。
【００２０】
空調用温水回路１８は、冷却媒体として水が循環する循環流路を構成する。空調用温水回路１８には、水を循環させる電動式の空調用ポンプ２０、水を加熱するヒータ１７、循環する温水の温度を検出する第１温度センサ２２及びヒータコア１９が設けられる。したがって、ヒータ１７は、車室内に送風される空気を加熱して空調風を提供するときに、熱源として用いられる。ヒータコア１９は、ヒータ１７によって加熱された温水が、内部に流通するように構成される。
【００２１】
第１温度センサ２２は、空調用温水回路１８を循環する水の温度を検出する。第１温度センサ２２は、ヒータ１７を通過後、ヒータコア１９に流入前の温水の温度を検出する。第１温度センサ２２は、検出した温度情報を、空調用ＥＣＵ１６に与える。第１温度センサ２２は、例えば、配管取り付けの温度サーミスタによって実現される。
【００２２】
ヒータ１７には、車載のバッテリ１３から得た直流電力が、例えばインバータ部によって個別にデューティ制御されて供給される。ヒータ１７は、例えばＰＴＣヒータで実現される。ヒータ１７は、例えばニクロム線を利用したシーズヒータであってもよい。
【００２３】
ヒータ１７は、温度が低いほど電気抵抗値が小さい特性を有する。したがって、ヒータ１７は、起動時の突入電流を抑制するために、起動してから定常熱出力に至るまで徐々に熱出力を増加させるようにデューティ制御される。例えば、図７に実線で例示するように、ヒータ１７は、起動してから漸次熱出力を増加させ定常熱出力に至る。ヒータ１７は、起動してから定常熱出力状態に至るまでに、例えば５〜６０秒程度の時間を要する。定常熱出力状態では、電力が供給されている状態での消費電力はほぼ一定である。
【００２４】
ヒータコア１９は、冷却水との熱交換により空調ケース内を流通する空調用空気を加熱する暖房用の加熱用熱交換器である。ヒータコア１９の内部には冷却水流路が形成されており、冷却水流路に冷却水が流れると、ヒータコア１９は、冷却水の熱を、ヒータコア１９自身を通過する空調用空気に放出して、車室内へ吹き出す空調用空気を加熱するようになっている。
【００２５】
空調用温水回路１８には、ＦＣスタック１２を冷却する冷却回路２３が接続される。具体的には、空調用温水回路１８を循環する水が、冷却回路２３にも循環可能に２本の接続通路２４によって接続される。そして、一方の接続通路２４には、三方弁２１が設けられる。
【００２６】
三方弁２１は、例えば回動弁体を変位することによって、図３に示すように冷却回路２３と空調用温水回路１８とを接続した状態に設定したり、図２に示すように冷却回路２３と空調用温水回路１８とを互いに独立した状態に設定したりする。換言すると、三方弁２１は、空調用温水回路１８を循環する冷却水が、空調用温水回路１８だけで図２に示すように循環する状態と、図３に示す冷却回路２３も含めて循環する状態とを弁体の変位によって切り換える。以下、冷却回路２３と空調用温水回路１８との接続状態を連携状態と呼ぶ場合がある。また、冷却回路２３と空調用温水回路１８との相互独立状態を単独状態と呼ぶ場合がある。
【００２７】
三方弁２１は、例えば、ポテンションメータ付きのサーボモータ２１ｂによって実現される。サーボモータ２１ｂは、三方弁２１の弁体の位置を変位させる。ポテンションメータ２１ａは、弁体の位置を検出する。サーボモータ２１ｂは、ポテンションメータ２１ａが検出した弁体の位置に基づいて、弁体の位置を所定の位置に配置するように駆動される。したがって、三方弁２１は、空調用温水回路１８に流れる水の循環量と冷却回路２３に流れる水の循環量とを調節する調整装置として機能する。空調用温水回路１８を第１回路というときに、冷却回路２３は第２回路ということができる。
【００２８】
空調用ポンプ２０は、第１ポンプであり、空調用温水回路１８のうち三方弁２１の下流側であってヒータ１７よりも上流側に配設されている。空調用ポンプ２０は、冷却水を空調用温水回路１８に循環させるための循環ポンプである。空調用ポンプ２０は、例えば、ポンプハウジング内でインペラを回転させるポンプ装置とすることができる。
【００２９】
空調用ＥＣＵ１６は、マイクロコンピュータとその周辺回路から構成される制御装置である。空調用ＥＣＵ１６は、予め設定されたプログラムに従って、第１温度センサ２２、外気温センサ、及び内気温センサからの各種温度信号、日射センサからの日射熱負荷信号、及び操作パネルで乗員が設定する設定温度信号等に対する演算処理を行う。更に、空調用ＥＣＵ１６は演算結果に基づいて、三方弁２１、空調用ポンプ２０、送風機、エアミックスドア等の制御を行う。また、空調用ＥＣＵ１６は、ＣＡＮ通信にてパワマネＥＣＵ１５と通信し、暖房要求に応じパワマネＥＣＵ１５を介してヒータ１７の作動を制御する。
【００３０】
次に、冷却回路２３に関して説明する。燃料電池車は、図２に示すように、ＦＣスタック１２を冷却する冷却回路２３を有する。冷却回路２３は、冷却媒体である冷却水がＦＣスタック１２から流出してＦＣスタック１２へ戻るように、冷却水をＦＣスタック１２の外部に循環させる回路である。冷却回路２３は、ＦＣスタック１２の冷却水流出口と冷却水流入口とを繋いでいる。冷却回路２３には、空調用温水回路１８を循環する水が循環可能なように、冷却回路２３と空調用温水回路１８とは接続通路２４を介して接続されている。冷却回路２３には、ラジエータ２５、ロータリバルブ２６及び燃料電池用ポンプ２７が設けられる。また、ＦＣスタック１２の内部には、冷却回路２３の冷却水の温度を検出する第２温度センサ２８が設けられている。
【００３１】
ＦＣスタック１２は、走行に必要な電力をまかなうものであり、発電時に発生する熱量は、内燃機関並みである。したがって乗用車であっても、放熱用熱交換器としてトラックで使用するような大型のラジエータ２５を搭載している。ラジエータ２５は、冷却回路２３に設けられ、冷却水の熱を外気との熱交換により外部へ放出するようになっている。したがって、ラジエータ２５は、ＦＣスタック１２によって温度上昇した冷却水を冷却する放熱用熱交換器である。
【００３２】
ラジエータ２５は、例えば、車両のフロントグリルの後方となるエンジンルーム内の前方に配設されている。ラジエータ２５には、送風ファンが設けられている。ラジエータ２５は、この送風ファンによって供給される冷却用空気によって、冷却水を冷却するようになっている。
【００３３】
冷却回路２３には、ラジエータ２５をバイパスして冷却水を流通するバイパス通路２９が設けられている。すなわち、バイパス通路２９は、ラジエータ２５よりも冷却液流れ上流側の分岐点で冷却回路２３から分岐するとともにラジエータ２５よりも冷却液流れ下流側の合流点で冷却回路２３に合流するように設けられている。
【００３４】
ロータリバルブ２６は、冷却回路２３にバイパス通路２９が合流する合流点に設けられ、ラジエータ２５を通過する冷却水とバイパス通路２９を通過する冷却水との流量比率を調節する弁装置である。ロータリバルブ２６は、内部のバルブによって、ラジエータ２５側を開きバイパス通路２９側を閉じて水がラジエータ２５を流通する場合と、バイパス通路２９側を開きラジエータ２５側を閉じて水がバイパス通路２９を流通する場合とを切替え可能である。
【００３５】
燃料電池用ポンプ２７は、第２ポンプであって、冷却回路２３のうち、冷却回路２３へのバイパス通路２９の合流点よりも冷却水流れ下流側に配設されている。すなわち、燃料電池用ポンプ２７は、冷却回路２３へのバイパス通路２９の合流点よりも下流側、かつ、ＦＣスタック１２よりも上流側に配設されている。燃料電池用ポンプ２７は、冷却水を冷却回路２３に循環させるための循環ポンプである。燃料電池用ポンプ２７は、例えば、ポンプハウジング内でインペラを回転させるポンプ装置とすることができる。
【００３６】
ＦＣスタック１２には、燃料電池用ＥＣＵが内蔵されている。燃料電池用ＥＣＵは、ＦＣスタック１２を制御する制御装置である。燃料電池用ＥＣＵは、ＦＣスタック１２が出力する燃料電池の発熱量もしくは発熱量に関連する物理量に関する情報や、第２温度センサ２８が出力する温度情報を入力する。燃料電池の発熱量に関連する物理量は、例えば発電量である。燃料電池用ＥＣＵは、これらの入力情報に基づいてロータリバルブ２６や燃料電池用ポンプ２７を作動制御するようになっている。
【００３７】
次に、空調用ＥＣＵ１６によるヒータ１７の制御に関して、図４を用いて説明する。実際には、空調用ＥＣＵ１６がパワマネＥＣＵ１５を介してヒータ１７を間接的に制御している。パワマネＥＣＵ１５は、車両の運転スイッチがオンである場合に、図４に示す制御を繰り返し実行する。車両の運転スイッチは、車両を走行可能状態に設定するスイッチである。
【００３８】
図４に示すように、パワマネＥＣＵ１５は、まず、ステップＳ４１において、回生ブレーキ１４が回生しているか否かを判断する。ステップＳ４１において、回生していると判断した場合には、ステップＳ４７に移り、回生していないと判断した場合には、ステップＳ４２に移る。
【００３９】
ステップＳ４２では、回生ブレーキ１４が回生していないので、第１温度センサ２２から空調水温ＴＷを取得し、ステップＳ４３に移る。ステップＳ４３では、各種センサから取得した車両熱負荷と車室内設定温度に基づいて、空調用温水回路１８の目標水温ＴＷＯを算出し、ステップＳ４４に移る。車両熱負荷は、外気温、内気温、日射量および車室内設定温度などから算出される。
【００４０】
ステップＳ４４では、目標水温ＴＷＯと空調水温ＴＷとを比較し、目標水温ＴＷＯが空調水温ＴＷ以上の場合はステップＳ４５に移り、目標水温ＴＷＯが空調水温ＴＷ未満の場合はステップＳ９１に移る。
【００４１】
ステップＳ４５では、目標水温ＴＷＯの方が高く空調用温水回路１８の水を加熱する必要があるので、ヒータ１７を駆動するように制御する。ステップＳ４５では、バッテリ１３から供給される電力によりヒータ１７が熱出力する。ステップＳ４５では、ヒータ１７の熱出力にＦＣスタック１２からの電力を用いてもよい。ステップＳ４５を実行したら、本フローを終了する。すなわち、ステップＳ４５を実行したら、ステップＳ４１へリターンする。
【００４２】
ステップＳ４４においてＮＯと判断した場合には、ステップＳ９１において、ＣＡＮ通信を用いてナビゲーション装置３０から得た情報に基づき、ナビゲーション装置３０に車両の走行ルートが設定されているルート設定状態であるか否かを判断する。ここで、ルート設定状態とは、現地点から目的地までの走行案内を行なう走行ルートが設定されている状態である。走行案内を行なう走行ルートが設定されていない状態は、ルート非設定状態である。ステップＳ９１において、ナビゲーション装置３０がルート設定状態であると判断した場合には、ステップＳ９２へ進む。ステップＳ９１において、ナビゲーション装置３０がルート設定状態でないと判断した場合、すなわちルート非設定状態であると判断した場合には、ステップＳ９３へ進む。
【００４３】
ステップＳ９２では、設定された走行ルートに制動を要する降坂路があるか否かを判断する。すなわち、設定された走行ルート上に回生制動を行なう下り坂があるか否かを判断する。ステップＳ９２では、例えば、所定勾配以上の下り坂が２００ｍ以上連続するか否かを判断する。
【００４４】
ステップＳ９２において、走行ルートに制動を要する降坂路があると判断した場合には、ステップＳ９４へ進む。ステップＳ９２において、走行ルートに制動を要する降坂路がないと判断した場合には、ステップＳ４６へ進む。
【００４５】
ステップＳ９３では、車両が現在走行している道路に、現在地点から所定距離の地点まで分岐点があるか否か判断する。ステップＳ９３では、ナビゲーション装置３０から取得した車両の現在位置、進行方向、及び道路情報から、現在走行している道路の進行方向のルート上に分岐点のない道路が所定距離続くか否かを判断する。すなわち、ステップＳ９３では、車両が現在位置から分岐点のない道路を所定距離走行するか否かを判断する。
【００４６】
ステップＳ９３において、現在位置から分岐点のない道路を所定距離走行すると判断した場合、すなわち、現在位置から所定距離の間に分岐点がない判断した場合には、ステップＳ９２へ進む。ステップＳ９３において、現在位置から分岐点のない道路を所定距離走行することはないと判断した場合、すなわち、現在位置から所定距離の間に分岐点があると判断した場合には、ステップＳ４６へ進む。
【００４７】
ステップＳ９２においてＹＥＳと判断した場合には、ステップＳ９４において、回生制動を開始する所定時間前の車両の走行地点を算出する。ステップＳ９４では、まず、取得した道路情報から制動を開始すると推定される地点Ａを決定する。次に、ヒータ１７の立上げ時間と車速とから、地点Ａよりも所定時間前に通過する地点Ｂを算出する。
【００４８】
ヒータ１７の立上げ時間とは、ヒータ１７が起動してから定常熱出力状態となるまでの時間である。この立上げ時間を所定時間として、地点Ａよりも所定時間前に通過する地点Ｂを算出する。例えば、ヒータ１７の立上げ時間が３０ｓであり、車両の速度が１１ｍ／ｓであった場合には、走行する道路において地点Ａよりも３３０ｍ手前の地点を地点Ｂとして特定する。
【００４９】
ステップＳ９４を実行したら、ステップＳ９５において、車両の現在位置の情報から、車両がステップＳ９４で算出した地点Ｂに到達したか否かを監視し、地点Ｂに到達したと判断した場合には、ステップＳ４５へ進む。ステップＳ４５では、前述したように、バッテリ１３から供給される電力によりヒータ１７が熱出力する。ステップＳ４５では、ヒータ１７の熱出力にＦＣスタック１２からの電力を用いてもよい。
【００５０】
ステップＳ４６では、目標水温ＴＷＯの方が低く空調用温水回路１８の水を加熱する必要がなく、かつ、ヒータ１７を起動しても回生制動が行なわれない可能性があるので、ヒータ１７を停止する、または停止状態を維持するように制御する。そして、ステップＳ４６を実行したら、本フローを終了する。すなわち、ステップＳ４６を実行したら、ステップＳ４１へリターンする。
【００５１】
ステップＳ４７では、回生ブレーキ１４が回生しているので、電力を消費するために、ヒータ１７を駆動するように制御する。ステップＳ４７では、回生ブレーキ１４が発生する回生電力のうち、バッテリ１３への蓄電分を超える分である余剰電力がヒータ１７に供給される。すなわち、回生余剰電力でヒータ１７を熱出力する。ステップＳ４７を実行したら、本フローを終了する。すなわち、ステップＳ４７を実行したら、ステップＳ４１へリターンする。
【００５２】
このように、回生ブレーキ１４が回生制動していない通常の暖房時には、ステップＳ４２〜ステップＳ４６に示すように、車両熱負荷を元に目標水温ＴＷＯを算出し、空調水温ＴＷとの差分に応じてヒータ１７をＯＮ、ＯＦＦ駆動する。ヒータ１７は、ＯＦＦ状態を含む、少なくとも２段以上の定常熱出力駆動レベルを持ち、ＰＩＤ制御により熱出力制御を実現している。またヒータ１７をＦＣスタック１２またはバッテリ１３の高電圧で駆動し、発熱した熱量は空調用温水回路１８の流体を通じてヒータコア１９で放熱する。これによって車室内を所望の温度に暖房することができる。
【００５３】
ただし、回生ブレーキ１４が回生制動しておらず、空調水温ＴＷが目標水温ＴＷＯよりも高い場合であっても、回生制動前のヒータ１７のプレ運転が必要であると判断した場合には、ヒータ１７をオン状態とする。ステップＳ９１〜ステップＳ９５からなるステップ群Ｓ９０を実行することにより、回生制動が行なわれる所定時間前であると判断した場合には、ステップＳ４５を実行してヒータ１７をオン状態とする。
【００５４】
また、回生時には、回生ブレーキ１４による発電電力でヒータ１７をＯＮすることにより、制動エネルギを空調用温水回路１８に蓄熱することができる。すなわち、回生ブレーキ１４で運動エネルギを電気エネルギに変換した回生電力を熱エネルギとして空調用温水回路１８の熱媒体に蓄熱することができる。したがって、冬場の暖房時には、ＦＣスタック１２によるヒータ１７の駆動頻度を低減することができ、省動力効果が生み出せる。
【００５５】
また、ステップＳ４１における判定がＮＯからＹＥＳに切り換わり、ステップＳ４７を実行してヒータ１７をオン状態とするときには、ステップ群Ｓ９０の判断により既にヒータ１７がプレ運転されオン状態となっている。ステップ群Ｓ９０と、ステップ群Ｓ９０の判定により実行されるステップＳ４５とが、制動が実施される前に回生電力以外の電力によりヒータ１７を起動してヒータ１７のプレ熱出力を行なうプレ運転部に相当する。また、ステップＳ４７が、制動が実施された際に、回生電力の余剰電力によりヒータ１７の熱出力を行なう回生運転部に相当する。
【００５６】
次に、三方弁２１の制御に関して図５を用いて説明する。空調用ＥＣＵ１６は、車両の運転スイッチがオン状態である場合に、図５に示す制御を繰り返し実行する。
【００５７】
ステップＳ５１では、回生ブレーキ１４が回生しているか否かを判断する。ステップＳ５１において、回生していると判断した場合には、ステップＳ５７に移り、回生していないと判断した場合には、ステップＳ５２に移る。
【００５８】
ステップＳ５２では、エアミックスドアの開度が最大冷房位置にある否かを判断する。ステップＳ５２では、エアミックスドアの開度がマックスクール位置にある否かを判断する。ステップＳ５２において、最大冷房位置にあると判断した場合には、ステップＳ５６に移り、最大冷房位置でないと判断した場合には、ステップＳ５３に移る。
【００５９】
エアミックスドアは、例えばヒータコア１９を通過する空調空気量を調節する回転式のドアである。エアミックスドアの開度に応じて、ヒータコア１９を流通する加熱空気とヒータコア１９を迂回する冷却空気との流量割合が調節されて、ヒータコア１９の下流側を流れる空調空気温度が調節される。したがって最大冷房位置は、冷却能力を最大に発揮させるためのエアミックスドアの開度位置である。換言すると、エアミックスドアが最大冷房位置にある場合は、ヒータコア１９によって空気を加熱する必要がない場合である。
【００６０】
ステップＳ５３では、エアミックスドアが最大冷房位置でないので、空調水温ＴＷが所定温度以上であるか否かを判断する。ステップＳ５３において、空調水温ＴＷが所定温度以上である場合にはステップＳ５４に移り、空調水温ＴＷが所定温度未満である場合にはステップＳ５６に移る。
【００６１】
ステップＳ５４では、ＦＣスタック１２の温度が所定温度以上であるか否かを判断する。ステップＳ５４において、ＦＣスタック１２の温度が所定温度以上である場合にはステップＳ５５に移り、ＦＣスタック１２の温度が所定温度未満である場合にはステップＳ５６に移る。
【００６２】
ステップＳ５５では、最大冷房位置でないのでヒータコア１９による空気加熱が必要な場合であって、空調水温が所定温度以上、かつ、ＦＣスタック１２の温度が所定温度以上の場合であるので、図３に示すように、三方弁２１で連携状態を設定する。これによってＦＣスタック１２の熱量を活用し、暖房性能を確保する。ステップＳ５５を実行したら、本フローを終了する。すなわち、ステップＳ５５を実行したら、ステップＳ５１へリターンする。
【００６３】
ステップＳ５６に移るのは、エアミックスドアが最大冷房位置にあるか、空調水温ＴＷが所定温度未満であるか、ＦＣスタック１２の温度が所定温度未満の場合である。したがって、ステップＳ５６では、空調用温水回路１８にて水が循環し、冷却回路２３からの水が流入しない単独状態となるように三方弁２１を制御する。ステップＳ５６を実行したら、本フローを終了する。すなわち、ステップＳ５６を実行したら、ステップＳ５１へリターンする。
【００６４】
このように、回生ブレーキ１４が回生していない場合は、ＦＣスタック１２の熱量を有効に活用するために、暖房性能がヒータ１７だけでは不足する場合、三方弁２１が接続通路２４を開き、図３に示すように、空調用温水回路１８と冷却回路２３とが接続される。これによって、ＦＣスタック１２にて発生する熱量を空調用温水回路１８に与えることができる。熱量が不足していない場合は、三方弁２１が接続通路２４を閉じ、空調用温水回路１８は冷却回路２３と連携せず独立する。
【００６５】
次に、回生ブレーキ１４が回生している場合の処理について引き続き図５を用いて説明する。ステップＳ５７では、回生ブレーキ１４が回生しているので、ＦＣスタック１２の温度が所定温度以上であるか否かを判断する。ステップＳ５７において、ＦＣスタック１２の温度が所定温度以上である場合にはステップＳ５８に移り、所定温度未満である場合にはステップＳ５１０に移る。
【００６６】
ステップＳ５８では、空調水温ＴＷが所定温度以上であるか否かを判断する。ステップＳ５８において、空調水温ＴＷが所定温度以上である場合にはステップＳ５１０に移り、空調水温ＴＷが所定温度未満である場合にはステップＳ５９に移る。
【００６７】
ステップＳ５９では、ＦＣスタック１２の温度が所定温度以上であるが、空調水温ＴＷが所定温度未満であるので、単独状態となるように三方弁２１を制御する。ステップＳ５９を実行したら、本フローを終了する。すなわち、ステップＳ５９を実行したら、ステップＳ５１へリターンする。
【００６８】
回生ブレーキ１４が回生している場合には、ＦＣスタック１２は発電停止しているが、ＦＣスタック１２の温度が低くなると再起動時に十分な発電と動力が確保できない。そこで、空調水温ＴＷが所定温度未満の場合には、ＦＣスタック１２の温度が低くならないように、単独状態を設定する。
【００６９】
また、ステップＳ５１０では、ＦＣスタック１２の温度が所定温度未満であるか、空調水温ＴＷが所定温度以上であるので、図３に示すように、三方弁２１を連携状態とし、ＦＣスタック１２の熱量を活用し、暖房性能を確保する。
【００７０】
ＦＣスタック１２は、発電効率を最大限に引き出すため最適温度に保つ必要がある。回生時は、動力が不要なため、ＦＣスタック１２は発電せず、スタック温度は低い。しかしながら、下り坂が終わるなど回生が終われば動力が必要となり、そのときにＦＣスタック１２の温度が低いと十分な発電と動力が確保できない。そこで、ＦＣスタック１２の温度が低いときには、三方弁２１を連携状態に固定し、回生ブレーキ１４の発電電力で駆動するヒータ１７の熱量を利用する。これによって、冷却回路２３にも蓄熱し、下り坂が終わり、動力が必要なときに十分な発電能力を予め確保することができる。
【００７１】
また、ＦＣスタック１２の温度が十分高いときは、ステップＳ５９で三方弁２１を単独状態に固定する。これによって、回生ブレーキ１４の発電電力で駆動するヒータ１７の熱量をヒータコア１９に回すことで暖房することができる。したがって、ＦＣスタック１２での発電及びヒータ１７への電力供給が不要となり、省エネ効果を生み出せる。
【００７２】
また、回生時の単独状態が継続すると、空調水温が上昇し、空調用温水回路１８を取り巻く車両用空調装置１０の樹脂部品などが高温に晒されダメージを受けるおそれがある。例えば空調水温ＴＷが８５℃以上になると、ＦＣスタック１２の温度が高くても連携させ、冷却回路２３を含めた全回路で蓄熱を行うことが好ましい。そして、更に回生が続いた場合には、ＦＣスタック１２の温度も上昇するが、最終的にはロータリバルブ２６を開き、ラジエータ２５で放熱することが好ましい。これによって回生ブレーキ１４を長時間継続することができる。
【００７３】
本実施形態の車両用回生制動装置によれば、以下に述べる効果を得ることができる。
【００７４】
本実施形態の回生制動装置は、車両の制動時に運動エネルギを電気エネルギに変換して回生電力を発生させる回生装置である回生ブレーキ１４を備える。また、回生電力を蓄電可能な蓄電装置であるバッテリ１３を備える。また、回生電力のうちバッテリ１３の蓄電分を超える分を余剰電力と呼ぶときに、余剰電力を消費して熱出力することが可能な電気ヒータであるヒータ１７を備える。また、車両の現在位置及び進行方向を検出するとともに、予め記憶した坂路情報を含む道路情報を用いて車両の走行案内を行なうことが可能なナビゲーション装置３０を備える。また、ナビゲーション装置３０から入力される車両の現在位置、進行方向及び道路情報に基づいてヒータ１７を駆動制御する制御装置である空調用ＥＣＵ１６を備える。
【００７５】
そして、ヒータ１７は、起動してから定常熱出力に至るまで漸次熱出力を増加させるヒータである。また、空調用ＥＣＵ１６は、車両の現在位置、進行方向及び道路情報から、車両が制動を要する降坂路を通過すると判断した場合には、制動が実施される前に回生電力以外の電力によりヒータ１７を起動してヒータ１７のプレ熱出力を行なうプレ運転部を有する。プレ運転部は、ステップ群Ｓ９０及びそれに続くステップＳ４５の機能により提供される。また、空調用ＥＣＵ１６は、制動が実施された際に、余剰電力によりヒータ１７の熱出力を行なう回生運転部を有する。回生運転部は、ステップＳ４７の機能により提供される。
【００７６】
これによると、車両が制動を要する降坂路を通過すると空調用ＥＣＵ１６が判断した場合には、車両の制動が実施される前に、空調用ＥＣＵ１６のプレ運転部が回生電力以外の電力によりヒータ１７を起動してヒータ１７をプレ熱出力させる。そして、車両の制動が実施された際には、空調用ＥＣＵ１６の回生運転部が回生電力の余剰電力によりヒータ１７の熱出力を行なう。したがって、起動してから定常熱出力に至るまで徐々に熱出力を上昇させるヒータ１７は、回生運転部が余剰電力によりヒータ１７の熱出力を行なう際には、回生電力以外の電力により既に熱出力が上昇した状態となっている。これにより、起動してから定常熱出力に至るまで徐々に熱出力を上昇させるヒータ１７が、回生制動時の余剰電力を確実に消費することが可能となる。
【００７７】
また、空調用ＥＣＵ１６のプレ運転部は、ナビゲーション装置３０に車両の走行ルートが設定されたルート設定状態であるときには、走行ルートの坂路情報を用いて、車両が降坂路を通過するか否かを判断する。
【００７８】
これによると、ナビゲーション装置３０に車両の走行ルートが設定されているときには、空調用ＥＣＵ１６のプレ運転部は、設定された走行ルート上の坂路情報から、車両が制動を要する降坂路を通過するか否かを判断することができる。したがって、ナビゲーション装置３０から得られる走行ルート上の坂路情報を利用して、車両の制動が実施される前に、プレ運転部が回生電力以外の電力によりヒータ１７を起動してヒータ１７をプレ熱出力させることができる。
【００７９】
また、空調用ＥＣＵ１６のプレ運転部は、ナビゲーション装置３０に車両の走行ルートが設定されていないルート非設定状態であるときには、下記のように車両が降坂路を通過するか否かを判断する。プレ運転部は、車両の現在位置、進行方向及び道路情報から、車両が現在位置から分岐点のない道路を所定距離走行すると判断した場合には、この所定距離の分岐点のない道路の坂路情報を用いて、車両が降坂路を通過するか否かを判断する。
【００８０】
これによると、ナビゲーション装置３０に車両の走行ルートが設定されていないときには、空調用ＥＣＵ１６のプレ運転部は、車両が現在位置から分岐点のない道路を所定距離走行するか否かを判断する。そして、車両が現在位置から分岐点のない道路を所定距離走行すると判断した場合には、所定距離分岐点のない道路を走行ルートとして、この走行ルート上の坂路情報から、車両が制動を要する降坂路を通過するか否かを判断することができる。したがって、ナビゲーション装置３０から得られる走行ルートと想定される道路の坂路情報を利用して、車両の制動が実施される前に、空調用ＥＣＵ１６のプレ運転部が回生電力以外の電力によりヒータ１７を起動してヒータ１７をプレ熱出力させることができる。
【００８１】
本実施形態の車両用回生制動装置によれば、例えば図６に示すように、回生制動を開始すると予測される地点Ａよりも所定時間前に通過が予測される地点Ｂを車両が通過したときに、ヒータ１７を起動してヒータ１７のプレ運転が行なわれる。そして、車両が地点Ａに到達して回生制動が実施されると、プレ運転から回生運転への切り替えが行なわれる。車両の回生制動が実施されると、ヒータ１７へ供給される電力は、回生電力以外の電力から回生電力へと切換えられる。
【００８２】
これによれば、例えば図７に実線で示すように、プレ運転によってヒータ１７の熱出力が漸次上昇される。そして、ヒータ１７が定常熱出力運転となったときに、図７に破線で例示する回生余剰電力を確実に受け入れてヒータ１７を発熱させることができる。なお、車両の地点Ａへの到達が予測よりも若干遅れた場合であっても、ヒータ１７は定常熱出力状態となっているので、回生余剰電力を確実に受け入れことができる。
【００８３】
また、車両の地点Ａへの到達が予測よりも早まった場合には、ヒータ１７の熱出力と回生余剰電力とは、例えば図８に示すような関係となる。このような場合には、起動時レスポンスの良い車載機器でヒータ１７の熱出力を上回る回生余剰電力を受け入れることが好ましい。当該車載機器は、例えば、車両用空調装置の冷凍サイクルに用いられる電動圧縮機である。
【００８４】
電動圧縮機で長時間回生電力を消費すると、冷凍サイクルの蒸発器のフロストが懸念される。蒸発器のフロストを抑制しつつ回生電力を受け入れるために、冷凍サイクルに蓄冷装置を設ける方法もある。しかしながら、本実施形態によれば、電動圧縮機で回生余剰電力を受け入れるとしても、ヒータ１７が定常熱出力状態となるまでの短時間であり、受け入れ電力量も僅かであるので、蒸発器のフロストの心配もなく、蓄冷装置も不要である。
【００８５】
また、本実施形態の回生制動装置は、熱媒体を循環させる熱媒体循環路である空調用温水回路１８と、空調用温水回路１８に設けられ、熱媒体の熱を空気に放出する放熱器であるヒータコア１９と備えている。そして、ヒータ１７は、空調用温水回路１８を循環する熱媒体を加熱する構成である。
【００８６】
これによると、ヒータ１７からの熱出力により、ヒータコア１９が設けられた空調用温水回路１８の熱媒体を加熱することができる。したがって、回生制動時の余剰電力を利用して空調用温水回路１８を循環する熱媒体を加熱することができる。また、空調用温水回路１８の熱媒体の熱をヒータコア１９から放熱し、回生制動時の余剰のエネルギを利用することが可能である。
【００８７】
ヒータコア１９は、例えば空調ダクト内に設けられ、空調ダクト内を流れて車室内へ吹き出す空気を加熱する。したがって、回生制動時の余剰のエネルギを利用して、車室内を暖房することが可能である。
【００８８】
また、車室内を暖房する必要がない場合であっても、回生制動時の余剰のエネルギを、比較的熱容量が大きな空調用温水回路１８の熱媒体に蓄熱することができる。これにより、回生制動時に、油圧ブレーキ等の機械ブレーキの使用を抑制することができる。
【００８９】
空調用ＥＣＵ１６は、回生ブレーキ１４が電気エネルギを回収している場合であって、車両用空調装置１０によってバッテリ１３の電力を消費する必要があると判断した消費必要状態にある場合に、特別な制御を実施する。回生ブレーキ１４が回収した電気エネルギは、車両の電力消費装置で電力消費されるとともに、バッテリ１３へ充電される。しかし、電力消費装置の電力消費が少なく、バッテリ１３も蓄電限界量にある場合には、回生ブレーキ１４が回収した電気エネルギに消費されることがなく、無駄になるおそれがある。そこで、回収した電気エネルギを車両用空調装置１０にて熱エネルギに変換されるように、特別な制御を実施する。
【００９０】
具体的には、ヒータ１７を駆動して水を加熱し、バッテリ１３の電力を熱エネルギに変換するようにヒータ１７、三方弁２１、空調用ポンプ２０及び燃料電池用ポンプ２７を制御する。ヒータ１７が駆動すると、電気エネルギを消費して熱エネルギに変換することができる。また、空調用ポンプ２０、燃料電池用ポンプ２７および三方弁２１を制御することによって、空調用温水回路１８及び冷却回路２３を循環する水の循環量を制御することができる。したがって水の温度や空調に必要な熱量に応じて、ヒータ１７を駆動することができる。これによって、回生ブレーキ１４によって回収したエネルギをバッテリ１３への充電だけでなく、車室内空調に利用可能となり、回生ブレーキ１４を解除する可能性を小さくすることができる。したがって回生ブレーキ１４によって回収したエネルギを効率的に用いることができる。
【００９１】
換言すると、本実施形態では、ヒータ１７とヒータコア１９を連結する空調用温水回路１８と、冷却回路２３を連通させる三方弁２１を搭載した車両用空調装置１０において、車両回生要求が来た場合にはヒータ１７を駆動する。さらに三方弁２１を、冷却回路２３を連通させる位置に駆動する。これによって燃料電池車のＦＣスタック１２の冷却回路２３と、空調用温水回路１８の連携構成を活用し、長距離の下り坂においても回生ブレーキ１４を長時間にわたり使用することができる。また、回生ブレーキ１４によるモータの発電電力を必要な部分に有効に活用することができる。
【００９２】
また、本実施形態では、空調用ＥＣＵ１６は、消費必要状態にある場合には、ヒータ１７を駆動して水を加熱し、空調用温水回路１８を循環する水が冷却回路２３でも循環するように三方弁２１、空調用ポンプ２０および燃料電池用ポンプ２７を制御する。これによって、ヒータ１７によった発生した熱を、空調用温水回路１８および冷却回路２３の蓄熱に用いることができる。
【００９３】
さらに、本実施形態では、空調用ＥＣＵ１６は、消費必要状態にある場合であって、ＦＣスタック１２の温度が所定温度未満の場合には、ヒータ１７を駆動して水を加熱し、空調用温水回路１８と冷却回路２３とが連携するように制御する。これによって、回生後にＦＣスタック１２の温度を所定温度に近くなるようにすることができる。したがってＦＣスタック１２の再起動時に、充分な発電と動力を確保することができる。
【００９４】
また、空調用ＥＣＵ１６は、消費必要状態にある場合であって、ＦＣスタック１２の温度が所定温度以上の場合には、ヒータ１７を駆動して水を加熱し、空調用温水回路１８と冷却回路２３とがそれぞれ単独で水が循環するように制御する。これによってＦＣスタック１２の温度が低下することを防ぐことができる。
【００９５】
また、本実施形態では、空調用ＥＣＵ１６は、消費必要状態にある場合であって、空調水温ＴＷが第１所定温度以上であり、ＦＣスタック１２の温度が第２所定温度未満の場合には、ヒータ１７を駆動して冷却媒体を加熱する。さらに、空調用温水回路１８と冷却回路２３とが連携するように制御する。これによって、空調水温ＴＷが上昇しすぎることを抑制しつつ、回生後にＦＣスタック１２の温度を第２所定温度に近くなるようにすることができる。したがって、空調水温ＴＷの過度の上昇を抑制しつつ、ＦＣスタック１２の再起動時に、充分な発電と動力を確保することができる。
【００９６】
さらに、本実施形態では、空調用ＥＣＵ１６は、消費必要状態にある場合であって、空調水温ＴＷが第１所定温度以上であり、かつＦＣスタック１２の温度が第２所定温度以上の場合には、ラジエータ２５によって放熱させるように制御する。具体的には、冷却回路２３の温度が第２所定温度未満となるようにラジエータ２５を通過する冷却媒体の流量を三方弁２１およびロータリバルブ２６によって制御する。空調水温ＴＷもＦＣスタック１２の温度も高温の場合には、連携してラジエータ２５から放熱することができる。これによって、空調水温ＴＷ及びＦＣスタック１２の温度の両方が過度に温度上昇することを抑制することができる。また継続して回生ブレーキ１４を作動させることができるので、油圧ブレーキの作動を抑制することができる。したがって、油圧ブレーキが過度の摩耗などのダメージを受けることを抑制することができる。
【００９７】
（他の実施形態）
この明細書に開示される技術は、その開示技術を実施するための実施形態に何ら制限されることなく、種々変形して実施することが可能である。開示される技術は、実施形態において示された組み合わせに限定されることなく、種々の組み合わせによって実施可能である。実施形態は追加的な部分をもつことができる。実施形態の部分は、省略される場合がある。実施形態の部分は、他の実施形態の部分と置き換え、または組み合わせることも可能である。実施形態の構造、作用、効果は、あくまで例示である。開示技術の技術的範囲は、実施形態の記載に限定されない。開示技術のいくつかの技術的範囲は、特許請求の範囲の記載によって示され、さらに特許請求の範囲の記載と均等の意味及び範囲内での全ての変更を含むものと解されるべきである。
【００９８】
上記実施形態では、空調用ＥＣＵ１６のプレ運転部は、ナビゲーション装置３０に車両の走行ルートが設定されたルート設定状態であるときには、走行ルートの坂路情報を用いて、車両が降坂路を通過するか否かを判断していた。また、ナビゲーション装置３０に車両の走行ルートが設定されていないルート非設定状態であるときには、所定距離の分岐点のない道路の坂路情報を用いて、車両が降坂路を通過するか否かを判断していた。しかしながら、これに限定されるものではない。例えば、ナビゲーション装置３０がルート設定状態であるときにだけ、車両が降坂路を通過するか否かを判断するものであってもよい。
【００９９】
また、上記実施形態では、回生余剰電力を消費可能な電気ヒータは、空調用温水回路１８に設けられたヒータ１７であったが、これに限定されるものではない。例えば、空調用温水回路１８に複数の電気ヒータを設けてもかまわない。また、例えば、空調用温水回路１８と冷却回路２３とにそれぞれ電気ヒータを設けてもかまわない。
【０１００】
また、上記実施形態では、空調用温水回路１８と冷却回路２３とが連携状態を設定可能となっていたが、これに限定されるものではない。空調用温水回路１８と冷却回路２３とが、互いに独立した回路であってもよい。ヒータ１７は、独立した空調用温水回路１８を循環する熱媒体を加熱するものであってもよい。
【０１０１】
また、電気ヒータは、熱媒体循環回路を循環する熱媒体を加熱するものでなくてもよい。例えば、大容量の温水蓄熱タンク内の水等の貯留された熱媒体を加熱するものであってもよい。また、電気ヒータは、液相の熱媒体を加熱するものではなく、空調空気等の気体を直接加熱するものであってもよい。
【０１０２】
また、上記実施形態では、車両は燃料電池車であり、冷却回路２３にはＦＣスタック１２を温度調節する熱媒体が流通するものであったが、これに限定されるものではない。例えば、車両が電動機と内燃機関とを走行駆動源とするハイブリッド車両であり、冷却回路には内燃機関や他の機器の冷却水が流通するものであってもよい。
【符号の説明】
【０１０３】
１３  バッテリ（蓄電装置）
１４  回生ブレーキ（回生装置）
１６  空調用ＥＣＵ（制御装置）
１７  ヒータ（電気ヒータ）
１８  空調用温水回路（熱媒体循環路）
１９  ヒータコア（放熱器）
３０  ナビゲーション装置
Ｓ４５  ステップＳ４５（プレ運転部の一部）
Ｓ４７  ステップＳ４７（回生運転部）
Ｓ９０  ステップ群Ｓ９０（プレ運転部の一部）
【図１】
2017093154.tif 000003
【図２】
2017093154.tif 000004
【図３】
2017093154.tif 000005
【図４】
2017093154.tif 000006
【図５】
2017093154.tif 000007
【図６】
2017093154.tif 000008
【図７】
2017093154.tif 000009
【図８】
2017093154.tif 000010